(57)【要約】【課題】  シール性および支持性の向上した太陽電池パネルの取付構造を提供する。【解決手段】  本発明の太陽電池パネルの取付構造は、縁部３０の表面３０ｆに多数の凹凸を有する太陽電池パネル３と、溝２９を有する枠材２と、前記太陽電池パネル３の縁部３０と枠材２の溝２９との間に介挿され、太陽電池パネル３と枠材２との間をシールすると共に太陽電池パネル３を枠材３に固定するためのガスケット１とを備え、前記ガスケット１は、前記枠材の溝を形成する内面に沿って装着されるガスケット本体１０と前記ガスケット本体１０の内側に設けられた第１接触部１１とを有し、前記ガスケット本体１０および第１接触部１１は、概ね一様の横断面を有し、一体に成形されていることを特徴とする。【選択図】        図１
2005277260.tif 000002
【特許請求の範囲】
【請求項１】
少なくとも縁部の表面に多数の凹凸を有する太陽電池パネルと、
溝を有する枠材と、
前記太陽電池パネルの縁部と枠材の溝との間に介挿され、太陽電池パネルと枠材との間をシールすると共に太陽電池パネルを枠材に固定するためのガスケットとを備え、
前記ガスケットは、前記枠材の溝を形成する内面に沿って装着されるガスケット本体と前記ガスケット本体の内側に設けられた第１接触部とを有し、
前記ガスケット本体および第１接触部は、概ね一様の横断面を有し、一体に成形されており、
前記ガスケット本体は加硫ゴムからなると共に横断面が略コ字状に形成されており、前記第１接触部は非加硫ゴムからなると共に前記太陽電池パネルの縁部の少なくとも表面に圧接し、
前記第１接触部の非加硫ゴムが前記太陽電池パネルの縁部の表面の凹凸に入り込んで密着することで、太陽電池パネルの縁部の表面と枠材との間がシールされている太陽電池パネルの取付構造。
【請求項２】
請求項１において、前記ガスケットは、前記ガスケット本体の内側に設けられて前記太陽電池パネルの外周面に圧接する第２接触部を有し、
前記第２接触部は非加硫ゴムからなると共に概ね一様の横断面を有し、
前記第２接触部の非加硫ゴムが前記太陽電池パネルの外周面に密着することで、太陽電池パネルの外周面と枠材との間がシールされている太陽電池パネルの取付構造。
【請求項３】
請求項２において、前記第１および第２接触部が横断面において互いに連なって形成されている太陽電池パネルの取付構造。
【請求項４】
請求項２において、前記ガスケットは、前記ガスケット本体の内側に設けられて前記太陽電池パネルの縁部の裏面に圧接する第３接触部を有し、
前記第３接触部は非加硫ゴムからなると共に概ね一様の横断面を有し、
前記第３接触部の非加硫ゴムが前記太陽電池パネルの縁部の裏面に密着することで、太陽電池パネルの縁部の裏面と枠材との間がシールされている太陽電池パネルの取付構造。
【請求項５】
請求項４において、前記第１，第２および第３接触部が横断面において互いに連なって形成されている太陽電池パネルの取付構造。
【発明の詳細な説明】
【技術分野】
【０００１】
本発明は、太陽電池パネルの板材を、ガスケットを用いて枠材に固定する技術に関するものである。
【背景技術】
【０００２】
従来より、板材を枠材に固定するための板材の取付構造として、加硫ゴム製のガスケットが用いられている。かかるガスケットは、所定の形状を有する定形の加硫ゴムで形成されている。（たとえば、特許文献１）。
【０００３】
【特許文献１】特開２００４−３６３３６号公報（図２）
【発明の開示】
【発明が解決しようとする課題】
【０００４】
ところが、太陽電池パネルにおいては、太陽光を多方向から集光して光電流の増加を図るため、図２（ｃ）に示すように、表面にピラミッド状の突部が多数形成されたものがあり、かかる突部を有する部材（以下、「凹凸板材」という）を前記特許文献１の加硫ゴム製のガスケットを用いて固定すると、凹凸板材の凹凸面に沿ってガスケットが密着し難いため、シール性が良くない。
【０００５】
したがって、本発明の目的は、シール性の向上した太陽電池パネルの取付構造を提供することである。
【課題を解決するための手段】
【０００６】
前記目的を達成するために、本発明のある太陽電池パネルの取付構造は、縁部の表面に多数の凹凸を有する太陽電池パネルと、溝を有する枠材と、前記太陽電池パネルの縁部と枠材の溝との間に介挿され、太陽電池パネルと枠材との間をシールすると共に太陽電池パネルを枠材に固定するためのガスケットとを備え、前記ガスケットは、前記枠材の溝を形成する内面に沿って装着されるガスケット本体と前記ガスケット本体の内側に設けられた第１接触部とを有し、前記ガスケット本体および第１接触部は、概ね一様の横断面を有し、一体に成形されており、前記ガスケット本体は加硫ゴムからなると共に横断面が略コ字状に形成されており、前記第１接触部は非加硫ゴムからなると共に前記太陽電池パネルの縁部の少なくとも表面に圧接し、前記第１接触部の非加硫ゴムが前記太陽電池パネルの縁部の表面の凹凸に入り込んで密着することで、太陽電池パネルの縁部の表面と枠材との間がシールされていることを特徴とする。
【発明の効果】
【０００７】
本取付構造によれば、粘着性が高く、かつ、塑性変形し易い非加硫ゴムが、太陽電池パネルの縁部の表面に圧接して凹凸面に密着するので、太陽電池パネルのシール性が向上すると共に、太陽電池パネルの支持性が向上する。非加硫ゴムは加硫ゴムに比べて柔らかく、不定形であるので、太陽電池パネルの凹凸面に沿って変形しやすく、かかる非加硫ゴムを採用することで十分なシール性を確保することができる。
【０００８】
なお、「略コ字状」としては、ガスケット本体の横断面の開口部分が広くなっているものを含む。
また、「概ね一様の横断面」とは、ガスケット本体および接触部が長尺状に形成されており、どの部分を切断しても概ね同じ横断面であることをいう。
非加硫ゴムとしては、種々のゴムを採用することができるが、シール性や耐候性を考慮すると、ブチルゴムを用いるのが好ましく、シリコーンゴムを用いるのが最も好ましい。一般に、太陽電池パネルの表層はＥＶＡ樹脂（エチレン−酢酸ビニル共重合体）のフィルムで封止されていることが多く、シリコーンゴムはかかるＥＶＡ樹脂と長時間接触していてもＥＶＡ樹脂を劣化させることがないからである。
【０００９】
さらに、前記ガスケットが、太陽電池パネルの外周面に圧接する非加硫ゴム製の第２接触部を有するようにすれば、太陽電池パネルの外周面および枠材の間もシールされて、シール性および支持性が、さらに向上する。
【００１０】
また、第１および第２接触部を前記横断面において互いに連なって形成すれば、シール性が更に向上する。また、両接触部を押出成形により一体に成形することが可能となり、より一層のコストダウンを図り得る。
【００１１】
さらに、前記ガスケットが、前記ガスケット本体の内側に設けられて前記太陽電池パネルの縁部の裏面に圧接する非加硫ゴム製の第３接触部を更に備えていてもよい。このようにすれば、シール性および支持性がより一層向上する。
【００１２】
また、前記第１，第２および第３接触部を前記横断面において互いに連なって形成すれば、シール性が更に向上すると共に、３つの接触部を押出成形により一体に成形することで、より一層のコストダウンを図り得る。
【００１３】
なお、本発明の太陽電池パネルの取付構造に用いられるガスケットの接合構造としては、前記ガスケットのガスケット本体の端面にゴム系接着剤が塗布され、前記ガスケット本体のコーナーを前記ゴム系接着剤を介して突き合わせ接合することができる。このようにすれば、ガスケットのコーナー（角の部分）のシール性が著しく向上する。
【００１４】
また、前記ゴム系接着剤をガスケット本体の端面および外表面に連なって塗布することで、前記ゴム系接着剤の層を肉盛するようにしてもよい。このようにすれば、コーナーの強度が著しく向上する。
なお、「肉盛」とは、ゴム系接着剤の層の厚みが、ガスケット本体の端面の部分で外側に膨らんだ形状のことをいう。
【発明を実施するための最良の形態】
【００１５】
以下、本発明の一実施例を図面に従って説明する。
図１に示すように、ガスケット１は、金属製の枠材２に、太陽電池パネル３を固定するためのものである。前記ガスケット１は、直線状に形成された複数本のガスケット本体１０の端部を互いに接合して使用される。以下の説明では、ガスケット１を、図４（ｂ）に示すように、方形に接合した場合について例示しているが、三角形や台形、五角形以上の多角形に接合してもよい。なお、ガスケット１を方形に接合した場合、ガスケット本体１０の長手方向Ｌの両端は、それぞれ、４５°程度の角度にカットされた形状となっている。
【００１６】
図１に示すように、前記枠材２の枠部２０の内面には、横断面が方形の溝２９が形成されている。前記ガスケット１は、太陽電池パネル３の縁部３０と、前記枠材２の溝２９との間に介挿され、前記枠材２と太陽電池パネル３との間をシールする。
【００１７】
図２（ａ）は、ガスケット１の横断面図である。
図２（ａ）に示すように、ガスケット本体１０は、横断面が略コ字状に形成されており、前記枠材２の溝２９（図１）を形成する内面に沿って装着される。
ガスケット１は、加硫ゴム製のガスケット本体１０と、ガスケット本体１０の内側１４に設けられた非加硫ゴム製の第１〜第３接触部１１〜１３を備えている。
前記ガスケット本体１０および接触部１１〜１３は、たとえば押出成型により成型され、横断面の形状が概ね一様な形状に成形されている。前記接触部１１〜１３は一体に形成されている。
【００１８】
図２（ａ）において、ガスケット本体１０の内側１４の上部には第１接触部１１が設けられ、第１接触部１１の一方の端部から下方に向って第２接触部１２が設けられている。第２接触部１２の下端からガスケット本体１０の内側１４の下部に沿って、下部の第３接触部１３が設けられている。したがって、接触部１１〜１３は、ガスケット本体１０の内側１４に沿って略コ字状に形成されている。
【００１９】
前記第１接触部１１の厚さは、第３接触部１３の厚さよりも大きく設定されている。ガスケット本体１０の内側１４の上部には、第１接触部１１のもう一方の端部（溝２９の開口に近い端部）に接する突条部１６が下方に向って形成されている。前記突条部１６は、肉厚の大きな第１接触部１１の先端に接触することにより、第１接触部１１の保形性を高めている。
【００２０】
図２（ｂ）は、図１におけるIIb-IIb 線断面図である。
図２（ｂ）の二点鎖線で示すように、太陽電池パネル３は、その表面３０ｆに突部が多数形成されており、表面３０ｆは凹凸面となっている。太陽電池パネル３の縁部３０の裏面３０ｂにはテーパ面３０Ｔが形成されている。ここで、前記太陽電池パネル３の一例を図２（ｃ）に示す。図２（ｃ）に示すように、前記太陽電池パネル３の表面３０ｆには、ピラミッド型の突部が多数連なって形成されている。また、太陽電池パネル３の表面３０ｆおよび裏面３０ｂは、ＥＶＡ樹脂のフィルム（図示せず）で封止されている。
【００２１】
図２（ｂ）に示す前記固定状態において、前記突条部１６は内側１４に向って曲げられている。一方、第１接触部１１は太陽電池パネル３の縁部３０の表面３０ｆに圧接して、非加硫ゴムが前記ピラミッド型の凹凸に入り込んで密着している。第２接触部１２は太陽電池パネル３の外周面３０ｃに近接し、第３接触部１３は太陽電池パネル３の縁部３０の裏面３０ｂのテーパ面３０Ｔに圧接する。
【００２２】
したがって、第１および第３接触部１１，１３の非加硫ゴムが、それぞれ、縁部３０の表面３０ｆおよび裏面３０ｂに密着すると共に、接触部１２が太陽電池パネル３の外周面３０ｃに近接し、太陽電池パネル３がシールされると共に固定される。なお、第２接触部１２は、太陽電池パネル３の外周面３０ｃに圧接してもよい。
【００２３】
前述のように、第１接触部１１の厚さは、第３接触部１３の厚さよりも大きく設定されている。そのため、太陽電池パネル３をガスケット１に装着した際に、第１接触部１１が太陽電池パネル３の表面３０ｆに形成された凹凸に沿って密着し易くなると共に、太陽電池パネル３の裏面３０ｂのテーパ面３０Ｔに対して厚さの小さい第３接触部が密着するので、シール性および太陽電池パネルの支持性が向上する。なお、第３接触部１３の厚さが第１接触部の厚さよりも大きくなるように設定してもよい。
【００２４】
また、第３接触部１３の溝の深さ方向に沿った長さは、第１接触部１１よりも短くなっている。そのため、第３接触部１３は、太陽電池パネル３の縁部３０の裏面３０ｂのテーパ面３０Ｔにより圧接し易くなる。
なお、太陽電池パネル３の縁部の裏面３０ｂにテーパ面が形成されていない場合があるが、この場合は第１および第３接触部１１，１３の長さを前述のように設定する必要はなく、太陽電池パネル３の形状に応じて適宜変更してもよい。
【００２５】
図３（ｂ）は、図１におけるIIIb-IIIb 線断面図である。
図３（ｂ）に示すように、ガスケット本体１０の端面１０ｅにはゴム系接着剤１５が塗布されており、ガスケット本体１０のコーナー同士がゴム系接着剤１５を介して突き合わせ接合されている。ゴム系接着剤１５は、ガスケット本体１０の端面１０ｅ、および外表面１０ｆに連なって塗布されることで、ゴム系接着剤１５の層が肉盛されている。そのため、コーナー１０Ｃの強度が向上すると共に、該コーナー１０Ｃの接触部１１〜１３の圧縮率が大きくなり、コーナー１０Ｃにおけるシール性が低下しない。
【００２６】
つぎに、ガスケット１の接合方法について説明する。
まず、図４（ａ）に示すガスケット本体１０，１０の端面１０ｅ，１０ｅの一方ないし両方に、それぞれゴム系接着剤１５を塗布した後、矢印に示すように、該端面１０ｅ同士を互いに押し付け、図３（ａ）に示すように接着する。
ついで、図３（ｂ）に示すように、前記接着部分に沿って、ガスケット本体１０の外表面１０ｆにゴム系接着剤１５を継ぎ足して肉盛する。
なお、ガスケット本体１０，１０の端面１０ｅ，１０ｅにゴム系接着剤１５を塗布する際に、該ゴム系接着剤１５をガスケット本体１０の外表面１０ｆにも予め塗布してもよい。また、ガスケット本体１０の端面１０ｅに予め多量のゴム系接着剤１５を塗布し、ガスケット本体１０同士を接着した際に、ゴム系接着剤１５が外表面１０ｆにはみ出ることにより、前記肉盛部分が形成されるようにしてもよい。
図４（ｂ）に示すように、４本のガスケット本体１０，１０同士をそれぞれ接合し、方形の枠用ガスケットを作成する。
【００２７】
その後、枠用ガスケットに太陽電池パネル３を装着する。太陽電池パネル３を装着するには、枠用ガスケットの各ガスケット本体１０を伸ばしながら太陽電池パネル３をガスケット本体１０内に押し込んで装着する。前述のように、ゴム系接着剤１５が肉盛されているので、コーナー１０Ｃにおいて、ガスケット本体１０の接着部分の強度の低下が防止される。そのため、太陽電池パネル３をガスケット本体１０内に押し込む際に、枠用ガスケットのコーナー１０Ｃが破れるなどの不具合を防止することができる。
前記太陽電池パネル３の装着後、図１に示すように、前記枠用ガスケットを枠材２に取り付ける。
【００２８】
なお、図３（ｃ）に示すように、前記太陽電池パネル３を枠用ガスケットに装着し、枠材２に取り付けると、太陽電池パネル３によって第１接触部１１が変形され、太陽電池パネル３の外表面（凹凸面）３０ｆに対して第１接触部１１が密着すると共に、コーナー１０Ｃの第１接触部１１，１１同士が互いに密着する。前述のように、第１接触部１１は、非加硫ゴム製であるから、第１接触部１１にゴム系接着剤１５が塗布されていなくても、第１接触部１１，１１同士が経時的に接着される。
【００２９】
以上のとおり、図面を参照しながら好適な実施形態を説明したが、当業者であれば、本明細書を見て、自明な範囲で種々の変更および修正を容易に想定するであろう。
たとえば、突条部１６は必ずしも設ける必要はない。また、ガスケット本体１０の内側１４の下部にも突条部１６を設けてもよい。
また、太陽電池パネルは、ピラミッド状以外の種々の凹凸面を有する場合があるが、かかる場合でも、本発明の取付構造を採用することができる。
したがって、そのような変更および修正は、請求の範囲から定まる本発明の範囲内のものと解釈される。
【産業上の利用可能性】
【００３０】
本発明の取付構造は、太陽電池パネルを枠材に固定する場合等に適用することができる。
【図面の簡単な説明】
【００３１】
【図１】（ａ）は本発明の一実施例にかかるガスケットに太陽電池パネルを固定した状態を示す概略斜視図である。
【図２】（ａ）はガスケットの横断面図、（ｂ）は図１のIIb-IIb 線断面図、（ｃ）は太陽電池パネルの一例を示す斜視図である。
【図３】（ａ）はガスケット本体の接合部分を示す断面図、（ｂ）は図１のIIIb-IIIb 線断面図、（ｃ）は枠用ガスケットに太陽電池パネルを固定した状態を示す断面図である。
【図４】ガスケットの接合方法および太陽電池パネル３の取付方法を示す斜視図である。
【符号の説明】
【００３２】
１：ガスケット
２：枠材
２９：溝
３：太陽電池パネル
３０：縁部
３０ｆ：表面
３０ｂ：裏面
３０ｃ：外周面
３０Ｔ：テーパ面
１０：ガスケット本体
１０ｅ：端面
１０ｆ：外表面
１１：第１接触部
１２：第２接触部
１３：第３接触部
１５：ゴム系接着剤
【図１】
2005277260.tif 000003
【図２】
2005277260.tif 000004
【図３】
2005277260.tif 000005
【図４】
2005277260.tif 000006